(57)【要約】      （修正有）【課題】自転車の夜間走行時における安全装置に関するもので、特に自転車の前方、又は後方から接近する自動車のライトを反射する装置を提供する。【解決手段】自転車の車輪のスポーク４、１１に設けた光反射板５、１２と、フレーム２、９に装着した反射鏡６、１３とを具備し、後方から接近する自動車の前照灯の光をフレーム２、９に固定した反射鏡６、１３によって反射し、スポーク４、１１に装着した光反射板５、１２が自動車の前照灯とフレーム２、９に装着した反射鏡６、１３との光軸上に位置した時に、自動車の前照灯の光をスポーク４、１１の反射板５、１２に投射し、反射板５、１２からの反射光を再びフレーム２、９の反射鏡６、１３によって後方の自動車側に反射させる。【選択図】図１
2007302219.tif 000002
【特許請求の範囲】
【請求項１】
自転車の夜間走行時において前方、又は後方から接近する自動車の前照灯の光を反射する安全装置であって、自転車の車輪のスポーク部分に装着して車輪の回転に伴って回転する光反射板と、車輪の車軸を支えている自転車のフレーム部分に装着した反射鏡とを具備し、前記自転車が夜間走行中に、その前方、又は後方から接近する自動車の前照灯の光を前記のフレーム部分に固定した反射鏡によって反射し、前記スポーク部分に装着した光反射板が自動車の前照灯とフレーム部分に装着した反射鏡との光軸上に位置した時に、自動車の前照灯の光を前記スポークの反射板に投射し、その反射板からの反射光を再び前記フレームの反射鏡によって前方、又は後方の自動車側に反射させるごとく構成したことを特徴とする自転車の自動車ライト反射装置。
【発明の詳細な説明】
【発明の詳細な説明】
【０００１】この発明は自転車の夜間走行時における安全装置に関するもので、特に自転車の前方、又は後方から接近する自動車のライトを反射する装置に関するものである。
【従来技術とその問題点】
【０００２】  従来、自転車の夜間走行時における安全装置として、自転車の車輪のスポーク部分に光反射板を装着し、自動車の前照灯（ヘッドライト）の光を反射する安全器具が使われている。しかるに、前記の光反射板は車輪の回転の妨げにならないように装着するために車輪や泥除け部分に遮られて、自転車の横方向からの光は十分に反射するが、前方、又は後方からの光は十分に反射出来ない状態に構成せざるを得なかった。そのために、自動車のドライバーにとっては、前方の道路を横断中の自転車の視認性は高いが、道路上を同方向、又は逆方向に走行している自転車の視認性は低い状態にあった。
【発明が解決しょうとする課題】
【０００３】本発明は前記のような欠点を除くために成されたもので、自転車の車輪に装着する光反射板によって、前方、又は後方から接近する自動車のドライバーに視認性高く反射光を供給する手段を提供するものである。
【課題を解決するための手段】
【０００４】その為に本発明における自転車の自動車ライト反射装置においては、自転車の車輪のスポーク部分に装着して車輪の回転に伴って回転する光反射板と、車輪の車軸を支えている自転車のフレーム部分に装着した反射鏡とを具備し、前記自転車が夜間走行中に、その後方から接近する自動車の前照灯の光を前記のフレーム部分に固定した反射鏡によって反射し、前記スポーク部分に装着した光反射板が自動車の前照灯とフレーム部分に装着した反射鏡との光軸上に位置した時に、自動車の前照灯の光を前記スポークの反射板に投射し、その反射板からの反射光を再び前記フレームの反射鏡によって後方の自動車側に反射させるごとく構成するものである。
【０００５】本発明による自転車の自動車ライト反射装置によれば、夜間走行中の自転車に前方、又は後方から接近する自動車のドライバーにとっては、自動車のヘッドライト光を反射する自転車からの反射光がピカッ、ピカッと断続的に視認できるので、自転車の存在がより明瞭に確認可能である。結果として自転車の安全確保に高い効果を発揮するものである。
【発明を実施するための最良の形態】
【０００６】次に本発明の１実施例を、図面を参照して詳細に説明する。図１は本発明による自転車の自動車ライト反射装置装着構成図。図２は本発明による自転車の自動車ライト反射装置における自動車ライト投射光の反射経路図である。図１において、１は自転車の後輪で自転車の後輪フレーム２に回転軸３を介して固定されている。４は後輪１のスポークで、光反射板５が装着される。６は反射鏡で、取り付け部品７によって後輪フレーム２に固定され、反射鏡の反射面が図２に示す自動車ライト投射光の反射経路を実現する角度に設定される。これらの後輪に装着した本発明の自動車ライト反射装置は、自転車に後方から接近する自動車前明灯の投射光を反射する。８は自転車の前輪で自転車の前輪フレーム９に回転軸１０を介して固定されている。１１は前輪８のスポークで、光反射板１２が装着される。１３は反射鏡で、取り付け部品１４よって前輪フレーム９に固定され、反射鏡の反射面が図２に示す自動車ライト投射光の反射経路を実現する角度に設定される。これらの前輪に装着した本発明の自動車ライト反射装置は、自転車に前方から接近する自動車前明灯の投射光を反射する。  ついで、図２は自転車のタイヤ部分を断面図で示した自動車ライト投射光の反射経路図であって、２０１は自転車のタイヤで、リム２０２及びスポーク２０３を介して回転軸２０４に固定されている。２０５はスポーク２０３に装着した光反射板で、自転車の車輪フレーム（図示省略）に装着した反射鏡２０６とによって光軸２０７が形成される。２０８は夜間に自転車の前方または後方から接近する自動車のライトからの投射光で、光軸２０７に沿って反射鏡２０６に反射されて車輪と共に回転する反射板２０５に投射され、次いで反射されて再び反射鏡２０６の反射を経て光軸２０７に沿って反射板の反射光２０９として接近する自動車側に反射されるものである。  以上、図１及び図２に示した構成のもとに、本装置を装着した自転車に夜間、自動車が前方又は後方から接近すると、自動車の前照灯からの光が自転車の車輪と共に回転する反射板が、図２で示した光軸上に位置した時に反射されて、自動車のドライバーに視認される。反射板は車輪と共に回転するので、反射光は点滅光としてドライバーに視認されるものである。なを、道路を横断中の自転車は、自転車の車輪に装着した光反射板５及び１２によって、自転車の横方向から接近する自動車ライトの投射光を従来の機能そのままに、直接反射して自動車のドライバーに視認されるものである。【０００７】本発明による自転車の自動車ライト反射装着によれば、夜間に道路を横断中には自転車の横方向から接近する自動車のライトを従来の機能と同様に反射してドライバーに視認させると共に、自転車が夜間道路を進行中には、前方又は後方から接近する自動車のライトを前方又は後方に反射して、非常に目立つ点滅光としてドライバーに視認させることが可能である。
【図面の簡単な説明】
【０００８】
【図１】図１は本発明による自転車の自動車ライト反射装置装着構成図。図２は本発明による自転車の自動車ライト反射装置における自動車ライトの反射経路図である。図１において、１は自転車の後輪、２は自転車の後輪フレーム、３は回転軸、４は後輪１のスポーク、５は光反射板、６は反射鏡、７は取り付け部品、８は自転車の前輪、９は自転車の前輪フレーム、１０は回転軸、１１は前輪８のスポーク、１２は光反射板、１３は反射鏡、１４は取り付け部品である。
【図２】図２において、２０１は自転車のタイヤ、２０２はリム、２０３はスポーク、２０４は回転軸、２０５は光反射板、２０６は反射鏡、２０７は光軸、２０８は自動車の投射光、２０９は反射板の反射光である。
【図１】
2007302219.tif 000003
【図２】
2007302219.tif 000004